(57)【要約】【課題】本発明は写真包装フレームを開示した。【解決手段】フレームと、前記フレームの中に位置しており、且つ前端壁が外部空間に連通している収納チャンバとを含み、前記収納チャンバの前端には外部空間と前記収納チャンバとの繋がりを遮断するガラス板が設置され、前記収納チャンバの上端壁には上方に開口した貫通穴が設置され、前記収納チャンバの下端壁には二つの回転軸が回転できるように連結され、前記回転軸の下端にはプーリが設置され、前記回転軸にはまた写真を巻くことができるローラーが固定的に連結され、二つの前記プーリの間がベルトにより伝動できるように連結され、前記フレームの上端の中には装置の作動を制御する制御機構が設置される。【選択図】図１
2020179125.tif 000002
【特許請求の範囲】
【請求項１】
正面視で、フレームと、前記フレームの中に位置しており、且つ前端壁が外部空間に連通している収納チャンバとを含み、前記収納チャンバの前端には外部空間と前記収納チャンバとの繋がりを遮断するガラス板が設置され、前記収納チャンバの上端壁には上方に開口した貫通穴が設置され、前記収納チャンバの下端壁には二つの回転軸が回転できるように連結され、前記回転軸の下端にはプーリが設置され、前記回転軸にはまた写真を巻くことができるローラーが固定的に連結され、二つの前記プーリの間がベルトにより伝動できるように連結され、前記フレームの上端の中には装置の作動を制御する制御機構が設置され、前記制御機構は前記貫通穴の中に位置しており、且つ上端が外部空間の中に位置している押しブロックを含み、前記押しブロックの中には連結チャンバが設置され、その中の一本の前記回転軸の上端が前記連結チャンバの中に位置しており、且つ上端には方形溝が設置され、前記連結チャンバの上端壁には下端が前記方形溝の中に位置できる伝動を実現する方形ブロックが設置され、前記連結チャンバの上端壁にはまた二つの下端が前記回転軸の上端と連結され、且つ前記押しブロックの復帰を実現できる連結ばねが設置され、前記収納チャンバの後端壁には写真を支持できる支持板が固定的に連結され、前記支持板の中には圧着伸ばし機構が設置され、前記圧着伸ばし機構は前記支持板の中に位置している伝動チャンバを含み、前記伝動チャンバの上下端壁の中にはいずれも昇降チャンバが設置され、前記昇降チャンバの左右端壁の中にはいずれも前記収納チャンバに連通している昇降溝が設置され、前記昇降溝の中には一端が前記収納チャンバの中に位置している昇降できるスライドロッドが設置され、前記支持板の前側には二つの写真を圧着できる押しロッドが設置され、前記押しロッドの上下両端にはいずれも一端が前記スライドロッドと連結される連動を実現する連結ロッドが固定的に連結され、前記昇降溝の中にはまた一端が前記収納チャンバの中に位置しており、且つ前記スライドロッドを昇降連動させることができる昇降板が設置され、前記昇降板の後端面には前記昇降溝の後端壁と連結される昇降ばねが設置され、前記昇降板の一端には連結板が固定的に設置され、前記昇降チャンバの中には一端が前記伝動チャンバの中に位置している伝動ロッドが設置され、前記連結板と前記伝動ロッドとの間には連結柱が固定的に連結され、前記連結板の片側端面には前記スライドロッドを復帰連動させることができる圧縮ばねが設置され、前記昇降板の中には前方に開口したスライド溝が設置され、前記スライド溝の中には一端が前記スライドロッドと連結され、且つ前記スライドロッドの上下運動を制限するスライドブロックがスライドできるように連結され、その作用は、前記制御機構により前記回転軸の回転を実現し、それにより写真の交換を実現し、交換完了後に前記圧着伸ばし機構により写真と前記支持板との貼り付けを実現し、便利に観賞できることを特徴とする写真包装フレーム。
【請求項２】
前記制御機構はまた環状チャンバを含み、前記貫通穴の右端壁の中には上げチャンバが設置され、前記上げチャンバの中には上げロッドが設置され、前記環状チャンバの中には前記上げロッドと連結され、且つ前記押しブロックと前記上げロッドとの同期昇降を実現する滑りブロックが設置され、前記上げロッドの右端の下端面には下端が前記収納チャンバの中に位置している台形ブロックが固定的に連結され、その作用は、前記押しブロックが昇降するとき、前記上げロッドと前記台形ブロックとの伝動により、前記昇降板の昇降を実現することであることを特徴とする請求項１に記載の写真包装フレーム。
【請求項３】
前記圧着伸ばし機構はまた二つの伝動軸を含み、前記伝動軸には糸巻き輪と伝動歯車とが固定的に連結され、前記伝動歯車の一端には一端が前記伝動チャンバの中において前記伝動ロッドの下端面と連結されるＬ形ロッドが噛合し連結され、前記伝動チャンバの両側端壁にはいずれも移動チャンバが設置され、前記移動チャンバの中には移動板が設置され、前記糸巻き輪には一端が前記移動板と連結され、且つ前記移動板を移動連動させることができるロープが周設され、前記移動チャンバの中にはまた鉄板がスライドできるように連結され、前記鉄板と前記移動板との間が移動ばねにより連結され、前記移動チャンバの中には電磁板が固定的に連結され、前記鉄板の片側端面には一端が前記電磁板を貫通し、且つ前記スライドロッドと連結されるチェーンが固定的に連結され、その作用は、前記昇降板が昇降する過程で、写真の解放と圧着伸ばしを実現することであることを特徴とする請求項１に記載の写真包装フレーム。
【発明の詳細な説明】
【技術分野】
【０００１】
本発明は包装分野を取り上げて、具体的には写真包装フレームである。
【背景技術】
【０００２】
現在人々は好きな写真をフレームの中に置いて展示し、部屋を飾ることが好きであり、好きな写真が多ければ、フレームとスペースとが足りなく、フレームの中の写真を交換するには時間と労力がかかり、作業効率が低い。
【先行技術文献】
【特許文献】
【０００３】
【特許文献１】中国特許出願公開第１０７８５６９７７号明細書
【発明の概要】
【発明が解決しようとする課題】
【０００４】
本発明の目的は写真包装フレームを提供し、それは上記の現在の技術中の問題を解決できる。
【課題を解決するための手段】
【０００５】
上記の課題を解決するため、本発明は以下の技術プランを採用する：本発明の写真包装フレームは、フレームと、前記フレームの中に位置しており、且つ前端壁が外部空間に連通している収納チャンバとを含み、前記収納チャンバの前端には外部空間と前記収納チャンバとの繋がりを遮断するガラス板が設置され、前記収納チャンバの上端壁には上方に開口した貫通穴が設置され、前記収納チャンバの下端壁には二つの回転軸が回転できるように連結され、前記回転軸の下端にはプーリが設置され、前記回転軸にはまた写真を巻くことができるローラーが固定的に連結され、二つの前記プーリの間がベルトにより伝動できるように連結され、前記フレームの上端の中には装置の作動を制御する制御機構が設置され、前記制御機構は前記貫通穴の中に位置しており、且つ上端が外部空間の中に位置している押しブロックを含み、前記押しブロックの中には連結チャンバが設置され、その中の一本の前記回転軸の上端が前記連結チャンバの中に位置しており、且つ上端には方形溝が設置され、前記連結チャンバの上端壁には下端が前記方形溝の中に位置できる伝動を実現する方形ブロックが設置され、前記連結チャンバの上端壁にはまた二つの下端が前記回転軸の上端と連結され、且つ前記押しブロックの復帰を実現できる連結ばねが設置され、前記収納チャンバの後端壁には写真を支持できる支持板が固定的に連結され、前記支持板の中には圧着伸ばし機構が設置され、前記圧着伸ばし機構は前記支持板の中に位置している伝動チャンバを含み、前記伝動チャンバの上下端壁の中にはいずれも昇降チャンバが設置され、前記昇降チャンバの左右端壁の中にはいずれも前記収納チャンバに連通している昇降溝が設置され、前記昇降溝の中には一端が前記収納チャンバの中に位置している昇降できるスライドロッドが設置され、前記支持板の前側には二つの写真を圧着できる押しロッドが設置され、前記押しロッドの上下両端にはいずれも一端が前記スライドロッドと連結される連動を実現する連結ロッドが固定的に連結され、前記昇降溝の中にはまた一端が前記収納チャンバの中に位置しており、且つ前記スライドロッドを昇降連動させることができる昇降板が設置され、前記昇降板の後端面には前記昇降溝の後端壁と連結される昇降ばねが設置され、前記昇降板の一端には連結板が固定的に設置され、前記昇降チャンバの中には一端が前記伝動チャンバの中に位置している伝動ロッドが設置され、前記連結板と前記伝動ロッドとの間には連結柱が固定的に連結され、前記連結板の片側端面には前記スライドロッドを復帰連動させることができる圧縮ばねが設置され、前記昇降板の中には前方に開口したスライド溝が設置され、前記スライド溝の中には一端が前記スライドロッドと連結され、且つ前記スライドロッドの上下運動を制限するスライドブロックがスライドできるように連結され、その作用は、前記制御機構により前記回転軸の回転を実現し、それにより写真の交換を実現し、交換完了後に前記圧着伸ばし機構により写真と前記支持板との貼り付けを実現し、便利に観賞できる。
【０００６】
優選的には、前記制御機構はまた環状チャンバを含み、前記貫通穴の右端壁の中には上げチャンバが設置され、前記上げチャンバの中には上げロッドが設置され、前記環状チャンバの中には前記上げロッドと連結され、且つ前記押しブロックと前記上げロッドとの同期昇降を実現する滑りブロックが設置され、前記上げロッドの右端の下端面には下端が前記収納チャンバの中に位置している台形ブロックが固定的に連結され、その作用は、前記押しブロックが昇降するとき、前記上げロッドと前記台形ブロックとの伝動により、前記昇降板の昇降を実現することである。
【０００７】
優選的には、前記圧着伸ばし機構はまた二つの伝動軸を含み、前記伝動軸には糸巻き輪と伝動歯車とが固定的に連結され、前記伝動歯車の一端には一端が前記伝動チャンバの中において前記伝動ロッドの下端面と連結されるＬ形ロッドが噛合し連結され、前記伝動チャンバの両側端壁にはいずれも移動チャンバが設置され、前記移動チャンバの中には移動板が設置され、前記糸巻き輪には一端が前記移動板と連結され、且つ前記移動板を移動連動させることができるロープが周設され、前記移動チャンバの中にはまた鉄板がスライドできるように連結され、前記鉄板と前記移動板との間が移動ばねにより連結され、前記移動チャンバの中には電磁板が固定的に連結され、前記鉄板の片側端面には一端が前記電磁板を貫通し、且つ前記スライドロッドと連結されるチェーンが固定的に連結され、その作用は、前記昇降板が昇降する過程で、写真の解放と圧着伸ばしを実現することである。
【発明の効果】
【０００８】
本発明の有益的な効果は：本発明装置は構造が簡単で、操作が便利であり、簡単な回転押しにより、フレーム内の写真の変更を実現し、ユーザーの好みによって、自由にフレーム内の写真を変更し、取り外す必要がなくて写真の変更を実現し、作業効率を高め、時間を節約する。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の写真包装フレームの全体全断面の正面構造略図
【図２】図２は本発明の写真包装フレームの全体全断面の左面拡大構造略図
【図３】図３は本発明の写真包装フレームの支持板の全断面の左面拡大構造略図
【図４】図４は本発明の写真包装フレームの制御機構の局部断面の正面拡大構造略図
【図５】図５は本発明の写真包装フレームの圧着伸ばし機構の局部断面の正面拡大構造略図
【図６】図６は本発明の写真包装フレームの圧着伸ばし機構の局部断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜６を参照し、本発明の写真包装フレームは、フレーム１と、前記フレーム１の中に位置しており、且つ前端壁が外部空間に連通している収納チャンバ２とを含み、前記収納チャンバ２の前端には外部空間と前記収納チャンバ２との繋がりを遮断するガラス板４５が設置され、前記収納チャンバ２の上端壁には上方に開口した貫通穴４７が設置され、前記収納チャンバ２の下端壁には二つの回転軸５が回転できるように連結され、前記回転軸５の下端にはプーリ７が設置され、前記回転軸５にはまた写真を巻くことができるローラー４が固定的に連結され、二つの前記プーリ７の間がベルト６により伝動できるように連結され、前記フレーム１の上端の中には装置の作動を制御する制御機構１８が設置され、前記制御機構１８は前記貫通穴４７の中に位置しており、且つ上端が外部空間の中に位置している押しブロック１０を含み、前記押しブロック１０の中には連結チャンバ１３が設置され、その中の一本の前記回転軸５の上端が前記連結チャンバ１３の中に位置しており、且つ上端には方形溝９が設置され、前記連結チャンバ１３の上端壁には下端が前記方形溝９の中に位置できる伝動を実現する方形ブロック１２が設置され、前記連結チャンバ１３の上端壁にはまた二つの下端が前記回転軸５の上端と連結され、且つ前記押しブロック１０の復帰を実現できる連結ばね１１が設置され、前記収納チャンバ２の後端壁には写真を支持できる支持板３が固定的に連結され、前記支持板３の中には圧着伸ばし機構２２が設置され、前記圧着伸ばし機構２２は前記支持板３の中に位置している伝動チャンバ２１を含み、前記伝動チャンバ２１の上下端壁の中にはいずれも昇降チャンバ４３が設置され、前記昇降チャンバ４３の左右端壁の中にはいずれも前記収納チャンバ２に連通している昇降溝３１が設置され、前記昇降溝３１の中には一端が前記収納チャンバ２の中に位置している昇降できるスライドロッド２３が設置され、前記支持板３の前側には二つの写真を圧着できる押しロッド４２が設置され、前記押しロッド４２の上下両端にはいずれも一端が前記スライドロッド２３と連結される連動を実現する連結ロッド２４が固定的に連結され、前記昇降溝３１の中にはまた一端が前記収納チャンバ２の中に位置しており、且つ前記スライドロッド２３を昇降連動させることができる昇降板２５が設置され、前記昇降板２５の後端面には前記昇降溝３１の後端壁と連結される昇降ばね３９が設置され、前記昇降板２５の一端には連結板２８が固定的に設置され、前記昇降チャンバ４３の中には一端が前記伝動チャンバ２１の中に位置している伝動ロッド２９が設置され、前記連結板２８と前記伝動ロッド２９との間には連結柱３０が固定的に連結され、前記連結板２８の片側端面には前記スライドロッド２３を復帰連動させることができる圧縮ばね２６が設置され、前記昇降板２５の中には前方に開口したスライド溝２７が設置され、前記スライド溝２７の中には一端が前記スライドロッド２３と連結され、且つ前記スライドロッド２３の上下運動を制限するスライドブロック４１がスライドできるように連結され、その作用は、前記制御機構１８により前記回転軸５の回転を実現し、それにより写真の交換を実現し、交換完了後に前記圧着伸ばし機構２２により写真と前記支持板３との貼り付けを実現し、便利に観賞できる。
【００１３】
有益的に、前記制御機構１８はまた環状チャンバ８を含み、前記貫通穴４７の右端壁の中には上げチャンバ１６が設置され、前記上げチャンバ１６の中には上げロッド１５が設置され、前記環状チャンバ８の中には前記上げロッド１５と連結され、且つ前記押しブロック１０と前記上げロッド１５との同期昇降を実現する滑りブロック１４が設置され、前記上げロッド１５の右端の下端面には下端が前記収納チャンバ２の中に位置している台形ブロック１７が固定的に連結され、その作用は、前記押しブロック１０が昇降するとき、前記上げロッド１５と前記台形ブロック１７との伝動により、前記昇降板２５の昇降を実現することである。
【００１４】
有益的に、前記圧着伸ばし機構２２はまた二つの伝動軸１９を含み、前記伝動軸１９には糸巻き輪２０と伝動歯車４６とが固定的に連結され、前記伝動歯車４６の一端には一端が前記伝動チャンバ２１の中において前記伝動ロッド２９の下端面と連結されるＬ形ロッド４４が噛合し連結され、前記伝動チャンバ２１の両側端壁にはいずれも移動チャンバ３７が設置され、前記移動チャンバ３７の中には移動板３２が設置され、前記糸巻き輪２０には一端が前記移動板３２と連結され、且つ前記移動板３２を移動連動させることができるロープ３８が周設され、前記移動チャンバ３７の中にはまた鉄板３４がスライドできるように連結され、前記鉄板３４と前記移動板３２との間が移動ばね３３により連結され、前記移動チャンバ３７の中には電磁板３６が固定的に連結され、前記鉄板３４の片側端面には一端が前記電磁板３６を貫通し、且つ前記スライドロッド２３と連結されるチェーン３５が固定的に連結され、その作用は、前記昇降板２５が昇降する過程で、写真の解放と圧着伸ばしを実現することである。
【００１５】
下記に、図１〜６と上記記述した本出願の写真包装フレームの具体的な構成を参考し、本出願の写真包装フレームの使用方法を詳しく紹介する：
【００１６】
収納チャンバ２の中にある写真を交換するとき、押しブロック１０を押し、方形ブロック１２が方形溝９の中に位置しており、それにより滑りブロック１４と、上げロッド１５及び台形ブロック１７を降下させ、それにより上側の二つの昇降板２５を前に運動させ、上側のスライドロッド２３と、連結ロッド２４及び押しロッド４２を前に運動させ、下側の昇降板２５と、スライドロッド２３と、連結ロッド２４及び押しロッド４２を前に運動させ、昇降ばね３９が伸展し、昇降板２５の運動が連結板２８と、連結柱３０と、伝動ロッド２９及びＬ形ロッド４４を前に運動させ、それにより伝動歯車４６と、伝動軸１９及び糸巻き輪２０を回転連動させ、それによりロープ３８を放し、スライドロッド２３が圧縮ばね２６の作用により支持板３の中心に向かって運動し、同時に移動板３２と鉄板３４とが電磁板３６の片側に近接しており、鉄板３４と電磁板３６とが吸引し合っており、押しロッド４２が支持板３の中心に位置している。
【００１７】
押しブロック１０を回し、それにより左側の回転軸５を回転させ、プーリ７とベルト６の伝動により右側の回転軸５を回転させ、支持板３の前側の写真の転換を実現し、写真を決めた後、押しブロック１０を放し、連結ばね１１が押しブロック１０を復帰させ、制御機構１８が復帰し、昇降板２５が台形ブロック１７の支持を失って昇降ばね３９の作用により復帰し、昇降板２５が復帰する過程では、昇降板２５がスライドロッド２３と、押しロッド４２及びＬ形ロッド４４を右に運動連動させ、Ｌ形ロッド４４の復帰が糸巻き輪２０を復帰させ、ロープ３８をきつく巻き、鉄板３４と電磁板３６とが吸引し合い、移動板３４が運動し、移動ばね３３が伸び、押しロッド４２が写真を圧着するとき、電磁板３６が作動しなく、鉄板３４が移動ばね３３の作用により復帰し、チェーン３５の伝動により、押しロッド４２と、連結ロッド２４及びスライドロッド２３が復帰し、それにより写真を圧着し平に伸ばす。
【００１８】
本発明の有益的な効果は：本発明装置は構造が簡単で、操作が便利であり、簡単な回転押しにより、フレーム内の写真の変更を実現し、ユーザーの好みによって、自由にフレーム内の写真を変更し、取り外す必要がなくて写真の変更を実現し、作業効率を高め、時間を節約する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179125.tif 000003
【図２】
2020179125.tif 000004
【図３】
2020179125.tif 000005
【図４】
2020179125.tif 000006
【図５】
2020179125.tif 000007
【図６】
2020179125.tif 000008